(57)【要約】      （修正有）【課題】携帯式の電気カイロにおいて、握らなくても使用でき、着用に邪魔にならない形状で、発熱部が自在に曲がり体に密着することができる携帯式の電気カイロを提供する。【解決手段】発熱部５の構成を複数の電熱線と柔軟で絶縁性のある物質で構成し、細長いひも状の形態の携帯式の電気カイロを提供する。発熱部５は、柔軟な材料で構成されるため自在に曲げることができ、留め具７と留め具固定部８を接続することにより、首にかけることができる。これにより、電気カイロ使用時でも両手は別の作業ができる。発熱部５の内部に設置される電熱線を複数にすることで、発熱を高温にすることができ、温度調整を容易にしたことを特徴とする携帯式電気カイロである。【選択図】図１
2018110823.tif 000002
【特許請求の範囲】
【請求項１】
発熱部の形状が、細長いひも状であることを特徴とした充電式電池で駆動する携帯式電気カイロ。
【請求項２】
発熱部の電熱線を複数並列に配置して、複数の電熱線への電源供給を制御することで、温度調整を可能にした細長いひも状の携帯式電気カイロ。
【請求項３】
発熱部にある電熱線を、短い電熱線と導線を接続した構成とし、この電熱線を複数並列に設置する。複数設置した電熱線内の短い電熱線のみをつなげたと仮定した場合、発熱部に１本の電熱線を設置した状態と同じになる様な構成にすることで、複数の電熱線への電源供給を制御することで、過剰加熱を防止しながら、温度調整を可能にした細長いひも状の携帯式電気カイロ。
【請求項４】
発熱部の周辺を天然鉱石の粉を練り込んだ繊維で包みこみ、この繊維を温めることで、遠赤外線とマイナスイオンの発生を伴う細長いひも状の携帯式電気カイロ。
【請求項５】
細長い形状の発熱部の先端に接続用の部品を取り付け、発熱部の先端と逆方向の末端に、接続用の部品を固定する部分を設け、この部分で接続することにより細長いひも状を円形に変化することができる細長いひも状の携帯式電気カイロ。
【発明の詳細な説明】
【技術分野】
【０００１】  本発明は、充電式電池を電源とした携帯式の電気カイロに関するものである。
【背景技術】
【０００２】  携帯できる電気カイロの多くは、ポケットに入れて使用するか、握ることで熱を体に伝える。また、手袋や靴下、マフラー、上着などに電熱線を仕込んで、電熱線による発熱で、体を温める電気カイロがある。細長いひも状の電気カイロに似た形状として、冬場の水道管を凍らせない目的で使用する細長いヒーターがある。
【先行技術文献】
【特許文献】
【特許文献１】特開２００９−０６１１２２号公報
【特許文献２】特開２００８−１７３２４１号公報
【特許文献３】実登３１９８９５７号公報
【発明の開示】
【発明が解決しようとする課題】
【０００３】  次のような問題があった。
（イ）携帯式の電気カイロで、熱を得るために握る必要があるものは、握ることで手が塞がり、他の事ができなくなる。
（ロ）電熱線を仕込んだ手袋や靴下、マフラー、上着などは、デザイン、色、柄などの点で気に入る物がないことがある。
（ハ）電熱線を仕込んだ衣類や水道管のヒーターにおいて、電熱線の構成が１本で構成されているため、加える電圧が一定の場合、電熱線が長くなるほど、高い温度を得ることが難しくなる。また、温度調整をする場合、制御回路が必要であり、この制御回路内での電力消費が無駄である。
【課題を解決するための手段】
【０００４】  発熱部を首や腕、胴体などに巻きつけて使用する細長いひも状の携帯式電気カイロを提供する。
発熱部の中心に電熱線を複数設けており、この周りを柔軟で絶縁効果のある材質、例えば、ビニール、ゴムなどで覆った電気カイロである。また、電気カイロのカバーとして遠赤外線を多く放射したり、マイナスイオンを発生する鉱物（例えば、ゲルマニウム、トルマリン）の粉を練り込んだ繊維で出来たカバーで覆うことで、遠赤外線による加熱やマイナスイオンを放射することもできる。ひも状の先端に金具を設け、この金具を利用して固定することで、円状にすることもできることを特徴とする細長いひも状の携帯式電気カイロを提供する。
【発明の効果】
【０００５】  細長いひも状の携帯式電気カイロは、体に巻いて使用する。例えば、首に巻いて、先端の金具を利用して、円状にすることで、首にネックレスように取り付けた状態にできる。これにより、携帯式電気カイロを使用しながら、両手は別の作業をすることができる。細長いひも状の携帯式電気カイロは、かさばらないため使用しながら、お気に入りのマフラーや上着などを着用することができる。発熱部は、複数の電熱線で構成されているため、高い温度の実現が容易である。また、温度調整を電熱線の負荷調整で行う為、無駄な電力消費が少ない。
【発明を実施するための最良の形態】
【０００６】  以下、本発明の実施の形態について説明する。
図１に示す通り、本発明の細長いひも状の携帯式電気カイロの構成は、電源１、ケーブル２、コントローラ３、ケーブル４、発熱部５、カバー６、留め具７、留め具固定部８からなる。【０００７】  電源１は、携帯できる電源である。電源となる電池の種類を問わない。今回の例では、充電式のリチウムイオン電池を使用する。ケーブル２を経由してコントローラ３に電源が供給される。コントローラ３には、電気カイロの電源ＯＮ／ＯＦＦを切り替えるスイッチと使用温度の高い／低いを切り替えるスイッチを有している。【０００８】  ケーブル４を経由して発熱部５に設置された電熱線に電源を供給し、発熱を行う。カバ−６は、遠赤外線やマイナスイオンを発生する鉱物（例えば、ゲルマニウム、トルマリン）の粉を練り込んだ繊維でできたカバーを使用することにより、遠赤外線による加熱を行うことができる。【０００９】  発熱部５の先端に設けた留め具７は、発熱部５の先端と逆方向の末端に設けた留め具固定部８に接続することで、細長いひも状の形態を、円状にすることにできる。首につければ、ネックレスのような状態にできる。留め具７と留め具固定部８は、ネックレスなどで使用されているフックの様な形状であったり、磁石を利用したもので構成される。【００１０】  発熱部５の断面については、図２、図３に示す。発熱部５は、中心に複数の電熱線があり、その周りを絶縁物１０とカバー６で覆われている。絶縁物１０は、例えば、ビニール、ゴムなど柔軟な材質で、絶縁性があれば種類を問わない。絶縁物１０により、複数の電熱線同士や、外部に導通しないようにしている。また、絶縁物１０は電熱線で発生した熱を外部に伝達する部分でもあり、内部の電熱線に無理な力が加わらない様にクッションの役目もある。発熱部５の形状は細長くひも状であり、体に巻くことができる柔軟性を持っている。【００１１】  発熱部５の中心に設置した複数の電熱線は並列に配置する。電熱線１本、１本の構成により、実地例が異なるので下記に記す。【００１２】  第１実施例
図２は、電熱線９−１と電熱線９−２の２本を並列に設置した場合の発熱部５の断面図である。電熱線９−１と電熱線９−２は、末端から先端までをニクロム線のような電熱線１１−１で構成した場合である。【００１３】  特徴としては、発熱部５で発生する温度を低い状態で使用する場合は、電熱線９−１または電熱線９−２のどちらか片方のみを使用する。温度を高い状態で使用する場合は、電熱線９−１と電熱線９−２の両方を同時に使用する。温度制御の考え方が容易で、電熱線の負荷調整で行うため、無駄な電力消費が少ない。【００１４】  第２実施例
図３は、電熱線９−３と電熱線９−４の２本を並列に設置した場合の発熱部５の断面図である。電熱線９−３と電熱線９−４は、短いニクロム線のような電熱線１１−２と銅などの導線１２により構成される。電熱線９−３は、短い電熱線１１−２と導線１２を繰り返し接続したものである。電熱線９−４は、導線１２と短い電熱線１１−２を繰り返し接続したものである。電熱線１１−２の位置が電熱線９−３と電熱線９−４とでは、異なる位置に設置されており、電熱線１１−２の部分だけをみれば、発熱部５には第１実施例の末端から先端までニクロム線のような電熱線１１−１が１本設置されているのと同じ構成である。【００１５】  特徴としては、電熱線９−３に一定時間電源を供給し、その間電熱線９−４への電源供給を停止する。その後、電熱線９−３への電源供給を停止し、その間電熱線９−４へ電源を供給する。つまり、加熱する部分と加熱しない部分を制御することができる。これにより火傷のリスクを軽減することができる。第１実施例のように、末端から先端までをニクロム線のような電熱線１１−１に電源を供給し続けると、温度が上がり、火傷のリスクが高まる。この対応として温度センサーを用いて一定以上の温度になった場合、電源の供給を止める仕組みが考えられる。この場合、高温時には、発熱部５全体の加熱ができなくなり、例えば、サーモスタットなどの温度センサーの復帰温度によっては、温度が下がり過ぎてしまう場合がある。この防止として、加熱場所を分けて、一定時間加熱した後は、一定時間冷ますことで、火傷のリスクを軽減しつつ、発熱部５のどこかは、加熱され全体の温度低下を防止し、快適な温度を保つことができる。【００１６】  急に加熱する場合は、電熱線９−３と電熱線９−４に同時に電源を供給し、一定時間経過後発熱部５が充分な温度になった後、交互に電源供給を行うという使い方もできる。第１実施例と同様に電熱線の負荷調整で温度調整を行う為、無駄な電力消費が少ない。
【図面の簡単な説明】
【００１７】
【図１】本発明の斜視図
【図２】第１実施例の発熱部の断面図
【図３】第２実施例の発熱部の断面図
【符号の説明】
【００１８】１  電源
２  ケーブル
３  コントローラ
４  ケーブル
５  発熱部
６  カバー
７  留め具
８  留め具固定部
９−１  電熱線Ａ
９−２  電熱線Ｂ
９−３  電熱線Ｃ
９−４  電熱線Ｄ
１０  絶縁物
１１−１  電熱線
１１−２  短い電熱線
１２  導線
【図１】
2018110823.tif 000003
【図２】
2018110823.tif 000004
【図３】
2018110823.tif 000005